(57)【要約】【課題】足のアーチの低下を抑制し、かつ、あおり歩行を促進することが可能な靴底を提供する。【解決手段】この靴底１は、底面１ａと、足の舟状骨１１近傍の土踏まずに対応する底面１ａの内側の領域に、底面１ａから突出するように形成された支持部２とを備えている。【選択図】図１
2005323643.tif 000002
【特許請求の範囲】
【請求項１】
歩行面に接触する底面と、
足の土踏まずに対応する前記底面の内側の領域に、前記底面から突出するように形成された第１突起部とを備えた、靴底。
【請求項２】
前記第１突起部は、前記足の土踏まずに対応する前記底面の内側の領域のうち、前記足の舟状骨近傍に対応する領域に設けられている、請求項１に記載の靴底。
【請求項３】
前記第１突起部は、あおり歩行を促進することが可能な前記底面からの突出長さを有する、請求項１または２に記載の靴底。
【請求項４】
前記第１突起部の中心部近傍の前記底面からの突出長さは、前記第１突起部の外縁部近傍の前記底面からの突出長さよりも大きくなるように設定されている、請求項１〜３のいずれか１項に記載の靴底。
【請求項５】
前記足の踵近傍に対応する前記底面の領域のうち、前記底面の内側の領域に、前記底面から突出するように形成された第２突起部と、
前記足の踵近傍に対応する前記底面の領域のうち、前記底面の外側の領域に、前記底面から突出するように、前記第２突起部と所定の間隔を隔てて前記第２突起部と連続しないように形成された第３突起部とをさらに備える、請求項１〜４のいずれか１項に記載の靴底。
【請求項６】
前記第２突起部および前記第３突起部は、歩行方向に延びるように形成されており、
前記第２突起部および前記第３突起部の前記底面からの突出長さは、前記足の踵に対応する領域の後部から前記足のつま先側の前部に向かって徐々に大きくなるように設定されている、請求項５に記載の靴底。
【請求項７】
前記内側の第２突起部の歩行方向の長さおよび前記歩行方向と直交する方向の長さのいずれか一方は、前記外側の第３突起部の対応する長さよりも大きくなるように設定されている、請求項５または６に記載の靴底。
【請求項８】
前記足の前足部の横アーチを構成する第１中足骨骨頭近傍と第５中足骨骨頭近傍との間に対応する前記底面の領域に、前記底面から突出するように形成された第４突起部をさらに備える、請求項１〜７のいずれか１項に記載の靴底。
【請求項９】
前記第１突起部、前記第２突起部、前記第３突起部および前記第４突起部の少なくとも１つは、複数の突起部の集合体からなる、請求項８に記載の靴底。
【請求項１０】
前記突起部の集合体を構成する複数の突起部は、互いに所定の間隔を隔てて配置されるとともに、各々の前記突起部は、実質的に正六角形の平面形状を有する、請求項９に記載の靴底。
【請求項１１】
前記各々の突起部の歩行面側の表面には、所定の深さを有する凹部が形成されている、請求項９または１０に記載の靴底。
【請求項１２】
前記第４突起部の中心部近傍の前記底面からの突出長さは、前記第４突起部の外縁部近傍の前記底面からの突出長さよりも大きくなるように設定されている、請求項８〜１１のいずれか１項に記載の靴底。
【請求項１３】
前記第１突起部から歩行方向と交差する方向に所定の間隔を隔てた前記足の第５中足骨粗面近傍に対応する前記底面の外側の領域に、前記底面から突出するように形成された第５突起部をさらに備える、請求項１〜１２のいずれか１項に記載の靴底。
【請求項１４】
前記第１突起部から歩行方向と交差する方向に所定の間隔を隔てた前記足の第５中足骨の中央部近傍に対応する前記底面の外側の領域に、前記底面から突出するように形成された第６突起部をさらに備える、請求項１〜１３のいずれか１項に記載の靴底。
【請求項１５】
請求項１〜１４のいずれかに記載の靴底を含む靴。
【請求項１６】
請求項１〜１４のいずれかに記載の靴底を含むサンダル。
【発明の詳細な説明】
【技術分野】
【０００１】
本発明は、靴底、それを含む靴およびサンダルに関する。
【背景技術】
【０００２】
従来、足は、２６個の骨により建築学的な構造を有するように構成されていることが知られている。また、足は、関節、靭帯および筋などの足部の全ての要素が一緒になって、１つのシステムとして統一されている。また、足には、縦アーチと横アーチとが存在することが知られている。具体的には、図１６に示すように、Ａ−Ｃを結ぶアーチが内側の縦アーチであり、Ｂ−Ｃを結ぶアーチが外側の縦アーチである。また、Ａ−Ｂを結ぶアーチが横アーチである。上記した足のアーチは、柔軟性を有するとともに、歩行時に不可欠な緩衝器として機能する。そして、足のアーチが正常である場合に、平坦に整地された路面に立てば、図１６の３点（Ａ点〜Ｃ点）で体重が支持される。この場合、内側の縦アーチ（Ａ−Ｃ）が路面に触れないので、内側の縦アーチ（Ａ−Ｃ）が「土踏まず」となる。ここで、足のアーチの異常低下や増強などの病的状態においては、走行、歩行および立位保持に必要な体重支持が不十分になる（たとえば、非特許文献１参照）。
【０００３】
上記した足の構造は、整地されていない路面に足を適応させるとともに、体重の移動によって生じた力を足から路面に伝達するためのものである。たとえば、図１７に示すように、上記した「土踏まず」と呼ばれる内側の縦アーチ（Ａ−Ｃ）は、路面から突出した石などを包み込む機能を有する。
【０００４】
また、足の形態および機能は、平坦に整地された路面ではなく、柔らかい土や砂の路面、凹凸の路面および傾斜した路面などの様々な地形に適応できるように進化してきたことにより、様々な地形において自由に活動する機能（運動）を獲得したと考えられる。具体的な足の運動としては、図１８に示すように、背屈運動および底屈運動がある。なお、基本肢位では、足底が下腿長軸と垂直になっている。また、図１９に示すような回外運動および回内運動、図２０に示すような内転運動および外転運動、および、図２１に示すような内がえし運動および外がえし運動がある。
【０００５】
また、足の運動として、裸足歩行における「あおり」運動がある。ここで、裸足歩行における「あおり」運動とは、足を外から内へあおって歩くことによって、歩行時のエネルギ消費を少なくし、それにより長時間歩くことを可能にすることである。つまり、あおり歩行とは、踵接地から、足の外側縁の接地、足裏全体での接地、踵の離床、つま先支持、キックのように、足は踵接地から足裏全接地までは回外から回内の運動を、足裏全接地からキックまでは逆の回内から回外の運動を行っている。
【非特許文献１】荻島秀男監訳「関節の生理学ＩＩ下肢」医歯薬出版株式会社、１９８６年１月３０日、ｐｐ．１９０−２１３
【発明の開示】
【発明が解決しようとする課題】
【０００６】
しかしながら、現代生活では、いつも靴で足を保護し、平坦で舗装された硬い路面ばかりを歩いているので、上記した足の運動が制限されている。その結果、あおり歩行を行うのが困難であるという問題点がある。特に、足の構造が不完全な小児は、歩行が不安定になりやすいので、あおり歩行を行うのがより困難であるという問題点がある。また、足の運動が制限されることによりアーチ支持筋の萎縮が生じるので、足のアーチが低下するという問題点もある。ここで、図２２に示すように、足の内側の縦アーチが低下すれば、偏平足になりやすくなる。
【０００７】
この発明は、上記のような課題を解決するためになされたものであり、この発明の１つの目的は、足のアーチの低下を抑制し、かつ、あおり歩行を促進することが可能な靴底を提供することである。
【０００８】
この発明のもう１つの目的は、足のアーチの低下を抑制し、かつ、あおり歩行を促進することが可能な靴底を含む靴およびサンダルを提供することである。
【課題を解決するための手段および発明の効果】
【０００９】
上記目的を達成するために、この発明の第１の局面による靴底は、歩行面に接触する底面と、足の土踏まずに対応する底面の内側の領域に、底面から突出するように形成された第１突起部とを備えている。
【００１０】
この第１の局面による靴底では、上記のように、足の土踏まずに対応する底面の内側の領域に、底面から突出するように第１突起部を形成することによって、底面の内側の第１突起部が接地した際に、底面の外側が接地する方向に傾くので、容易に、体重を外側に移動させることができる。その結果、足を外側から内側へあおって歩くあおり歩行を促進することができる。また、足の土踏まずに対応する底面の内側の領域に、底面から突出するように第１突起部を形成することによって、第１突起部により足の内側の縦アーチを構成する骨の一部を支持することができるので、足の内側の縦アーチの低下を抑制することができる。これにより、足の内側の縦アーチの低下に起因して偏平足になるのを抑制することができる。
【００１１】
上記第１の局面による靴底において、好ましくは、第１突起部は、足の土踏まずに対応する底面の内側の領域のうち、足の舟状骨近傍に対応する領域に設けられている。このように構成すれば、第１突起部により舟状骨が低下しないように支持することができるので、足の内側の縦アーチの低下を容易に抑制することができる。これにより、足の内側の縦アーチの低下に起因して偏平足になるのを容易に抑制することができる。
【００１２】
上記第１の局面による靴底において、好ましくは、第１突起部は、あおり歩行を促進することが可能な前記底面からの突出長さを有する。このように構成すれば、容易に、あおり歩行を促進することができる。
【００１３】
この場合、好ましくは、第１突起部の中心部近傍の底面からの突出長さは、第１突起部の外縁部近傍の底面からの突出長さよりも大きくなるように設定されている。このように構成すれば、第１突起部の中心部近傍から外縁部近傍に向かって第１突起部の接地面が傾斜した形状になるので、底面の内側の第１突起部が歩行面に接地する際に、底面の外側が接地する方向により傾きやすくなる。これにより、より容易に、外側に体重移動を行うことができるので、あおり歩行をより促進することができる。
【００１４】
上記第１の局面による靴底において、好ましくは、足の踵近傍に対応する底面の領域のうち、底面の内側の領域に、底面から突出するように形成された第２突起部と、足の踵近傍に対応する底面の領域のうち、底面の外側の領域に、底面から突出するように、第２突起部と所定の間隔を隔てて第２突起部と連続しないように形成された第３突起部とをさらに備える。このように構成すれば、底面の踵に対応する領域に荷重が加わった際に、互いに連続しないように形成された内側の第２突起部および外側の第３突起部を支点として底面の踵に対応する領域を下に凸のアーチ状に撓ませることができる。このため、底面の第２突起部および第３突起部が接地する際に、踵の脂肪層がその下に凸のアーチ状に沿って変形しやすくなる。この場合、靴を履いて歩行したとしても、素足の状態で踵が接地した場合と実質的に同様に踵の脂肪層を変形させることができるので、素足で歩行した場合に足裏が受ける刺激と実質的に同様の刺激を足裏に生じさせることができる。これにより、足の機能や筋力の低下を抑制することができる。また、踵の脂肪層が変形しやすくなるので、歩行中に踵が圧迫されるのを抑制することができる。これにより、歩行が不安定になるのを抑制することができる。また、互いに連続しないように形成された内側の第２突起部および外側の第３突起部によって踵が挟まれるように保持されるので、足が内側に傾く回内足になるのを抑制することができる。これにより、内側の縦アーチの低下をより抑制することができるので、偏平足になるのをより抑制することができる。また、足が外側に傾く回外足になるのも抑制することができる。
【００１５】
この場合、好ましくは、第２突起部および第３突起部は、歩行方向に延びるように形成されており、第２突起部および第３突起部の底面からの突出長さは、足の踵に対応する領域の後部から足のつま先側の前部に向かって徐々に大きくなるように設定されている。このように構成すれば、底面の第２突起部および第３突起部に対応する領域が接地した際に、荷重が踵全体に加わるとともに、つま先が上方に向くように底面が傾斜するので、足関節の背屈位が保持しやすくなる。これにより、下腿三頭筋（ふくらはぎ）を伸ばすことができるので、ふくらはぎの拘縮（短縮）を抑制することができる。
【００１６】
この場合、好ましくは、内側の第２突起部の歩行方向の長さおよび歩行方向と直交する方向の長さのいずれか一方は、外側の第３突起部の対応する長さよりも大きくなるように設定されている。このように構成すれば、底面の内側の第２突起部および外側の第３突起部が接地した際に、底面の外側が接地する方向に傾きやすくなるので、体重が外側に移動しやすくなる。これにより、あおり歩行をより促進することができる。また、底面の外側が接地する方向に傾きやすくなるので、回内足になるのを抑制することができる。
【００１７】
上記第１の局面による靴底において、好ましくは、足の前足部の横アーチを構成する第１中足骨骨頭近傍と第５中足骨骨頭近傍との間に対応する底面の領域に、底面から突出するように形成された第４突起部をさらに備える。このように構成すれば、第４突起部により前足部の横アーチの低下を抑制することができるので、開帳足になるのを抑制することができ、外反母趾になるのを予防できる。
【００１８】
この場合、好ましくは、第１突起部、第２突起部、第３突起部および第４突起部の少なくとも１つは、複数の突起部の集合体からなる。このように構成すれば、第１〜第４突起部の少なくとも１つが分割されるので、底面を撓みやすくすることができる。これにより、容易に、足の動きに対応して底面を変形させることができる。
【００１９】
この場合、好ましくは、突起部の集合体を構成する複数の突起部は、互いに所定の間隔を隔てて配置されるとともに、各々の突起部は、実質的に正六角形の平面形状を有する。このように構成すれば、各々の突起部の集合体の突起部間の間隔を容易に実質的に均一にすることができるので、突起部の集合体に加わる荷重を容易に実質的に均一に分散することができる。
【００２０】
この場合、好ましくは、各々の突起部の歩行面側の表面には、所定の深さを有する凹部が形成されている。このように構成すれば、突起部が弾性変形しやすくなるので、突起部が接地した際の衝撃を緩和することができる。
【００２１】
この場合、好ましくは、第４突起部の中心部近傍の底面からの突出長さは、第４突起部の外縁部近傍の底面からの突出長さよりも大きくなるように設定されている。このように構成すれば、第４突起部の外縁部近傍が接地した後に、スムーズに第４突起部の中心部近傍を接地させることができる。これにより、容易に、外側から内側に体重移動を行うことができる。
【００２２】
上記第１の局面による靴底において、好ましくは、第１突起部から歩行方向と交差する方向に所定の間隔を隔てた足の第５中足骨粗面近傍に対応する底面の外側の領域に、底面から突出するように形成された第５突起部をさらに備える。このように構成すれば、第５突起部により第５中足骨粗面が低下しないように支持することができるので、第１突起部が歩行面に接地した後に体重が外側に移動する際に、底面が外側に傾きすぎるのを抑制することができる。この場合、第１突起部と第５突起部との間に突起部が形成されていないので、整地されていない凹凸の路面を歩行した場合に、路面の凸状部が第１突起部と第５突起部との間に位置したとしても、第５突起部により第５中足骨粗面が低下しないように支持することができる。
【００２３】
上記第１の局面による靴底において、好ましくは、第１突起部から歩行方向と交差する方向に所定の間隔を隔てた足の第５中足骨の中央部近傍に対応する底面の外側の領域に、底面から突出するように形成された第６突起部をさらに備える。このように構成すれば、第６突起部により第５中足骨の中央部が低下しないように支持することができるので、体重がつま先に移動する際に、底面が外側に傾きすぎるのを抑制することができる。この場合、第１突起部と第６突起部との間に突起部が形成されていないので、整地されていない凹凸の路面を歩行した場合に、路面の凸状部が第１突起部と第６突起部との間に位置したとしても、第６突起部により第５中足骨の中央部が低下しないように支持することができる。
【００２４】
この発明の第２の局面による靴は、請求項１〜１４のいずれかに記載の靴底を含む靴である。このように構成すれば、容易に、足のアーチの低下を抑制し、かつ、あおり歩行を促進することが可能な靴を得ることができる。
【００２５】
この発明の第３の局面によるサンダルは、請求項１〜１４のいずれかに記載の靴底を含むサンダルである。このように構成すれば、容易に、足のアーチの低下を抑制し、かつ、あおり歩行を促進することが可能なサンダルを得ることができる。
【発明を実施するための最良の形態】
【００２６】
以下、本発明の実施形態を図面に基づいて説明する。
【００２７】
（第１実施形態）
図１は、本発明の第１実施形態による靴の靴底と足の骨との位置関係を示した側面図である。図２は、図１に示した第１実施形態による靴底の底面図である。図３は、図２の１００−１００線に沿った断面図である。図４は、足の構造を示した上面図である。まず、図１〜図４を参照して、第１実施形態による靴の靴底の構造について説明する。なお、図１および図２には、左足用の靴の靴底を図示している。すなわち、図２の上側が靴底の内側であり、下側が靴底の外側である。
【００２８】
第１実施形態による靴１００の靴底１は、図１および図２に示すように、ラバー（ゴム）からなる底面１ａを有するとともに、足の舟状骨１１近傍に対応する底面１ａの内側の領域に、ラバー（ゴム）からなる支持部２が一体的に形成されている。ここで、舟状骨１１は、足の内側の縦アーチおよび土踏まず（図２の破線で囲まれた領域Ｄ）の一部を構成する。そして、支持部２は、足の内側の縦アーチ（土踏まず）に対応する領域Ｄ内に配置されている。また、支持部２の歩行方向と直交する方向（Ｙ方向）の幅Ｗ２は、足の幅Ｗ１の２／３以下である。なお、支持部２は、本発明の「第１突起部」の一例である。この支持部２は、支持部２の中心部近傍に配置された２つの突起部２ａと、支持部２の外縁部近傍に配置された８つの突起部２ｂとによって構成されている。また、中心部近傍の突起部２ａの底面１ａからの突出長さは、約８ｍｍ〜約１５ｍｍであり、外縁部近傍の突起部２ｂの底面１ａからの突出長さは、約３ｍｍ〜約４ｍｍである。すなわち、図３に示すように、支持部２の中心部近傍の底面１ａからの突出長さは、支持部２の外縁部近傍の底面１ａからの突出長さよりも大きくなるように設定されている。また、図１および図２に示すように、２つの突起部２ａおよび８つの突起部２ｂは、互いに所定の均一な間隔を隔てて配置されているとともに、正六角形の平面形状を有する。
【００２９】
また、第１実施形態では、足の踵１２近傍に対応する底面１ａの内側の領域に、ラバー（ゴム）からなる支持部３が一体的に形成されている。なお、支持部３は、本発明の「第２突起部」の一例である。この支持部３は、歩行方向（Ｘ方向）に沿って所定の均一な間隔を隔てて配列された８つの突起部３ａ〜３ｈによって構成されている。また、突起部３ａ〜３ｈの底面１ａからの突出長さは、底面１ａの後部１ｂから前部１ｃに向かって徐々に大きくなるように設定されている。すなわち、支持部３の突出長さは、底面１ａの後部１ｂから前部１ｃに向かって徐々に大きくなっている。なお、突起部３ａの底面１ａからの突出長さは、約２ｍｍ〜約３ｍｍであり、突起部３ｈの底面１ａからの突出長さは、約１０ｍｍ以下である。また、８つの突起部３ａ〜３ｈは、正六角形の平面形状を有する。また、足の踵１２近傍に対応する底面１ａの外側の領域には、内側の支持部３と連続しないように、ラバー（ゴム）からなる支持部４が一体的に形成されている。なお、支持部４は、本発明の「第３突起部」の一例である。この支持部４は、Ｘ方向に沿って配列された８つの突起部４ａ〜４ｈによって構成されている。また、突起部４ａ〜４ｈは、それぞれ、上記した内側の突起部３ａ〜３ｈと同様の底面１ａからの突出長さおよび平面形状を有する。
【００３０】
また、第１実施形態では、足の前足部の横アーチを構成する第１中足骨骨頭１３ａ（図４参照）近傍と第５中足骨骨頭１３ｅ（図４参照）近傍との間に対応する底面１ａの領域に、ラバー（ゴム）からなる支持部５が一体的に形成されている。具体的には、支持部５は、平面的に見て、第３中足骨骨頭１３ｃ（図４参照）近傍を中心とし、第２中足骨骨頭１３ｂおよび第４中足骨骨頭１３ｄ（図４参照）の一部を含む大きさを有する。なお、支持部５は、本発明の「第４突起部」の一例である。この支持部５は、支持部５の中心部近傍に配置された１つの突起部５ａと、支持部５の外縁部近傍に配置された６つの突起部５ｂとによって構成されている。また、中心部近傍の突起部５ａの底面１ａからの突出長さは、約３ｍｍ〜約５ｍｍであり、外縁部近傍の突起部５ｂの底面１ａからの突出長さは、約２ｍｍ〜約３ｍｍである。すなわち、支持部５の中心部近傍の底面１ａからの突出長さは、支持部５の外縁部近傍の底面１ａからの突出長さよりも大きくなるように設定されている。また、１つの突起部５ａおよび６つの突起部５ｂは、互いに所定の間隔を隔てて配置されているとともに、正六角形の平面形状を有する。
【００３１】
第１実施形態では、上記のように、足の土踏まず（領域Ｄ）に対応する底面１ａの内側の領域に、底面１ａから突出するように支持部２を形成することによって、底面１ａの内側の支持部２が接地した際に、底面１ａの外側が接地する方向に傾くので、容易に、体重を外側に移動させることができる。さらに、底面１ａの内側の支持部２が接地することにより底面１ａの外側が接地する方向に傾いた後、体重が歩行方向（Ｘ方向）に移動する際に、容易に、支持部２を支点として、外側に移動した体重を内側に弧を描くように移動させることができる。その結果、足を外側から内側へあおって歩くあおり歩行を促進することができる。また、足の土踏まず（領域Ｄ）に対応する底面１ａの内側の領域に、底面１ａから突出するように支持部２を形成することによって、支持部２により足の内側の縦アーチを構成する骨の一部を支持することができるので、足の内側の縦アーチの低下を抑制することができる。これにより、足の内側の縦アーチの低下に起因して偏平足になるのを抑制することができる。
【００３２】
また、第１実施形態では、支持部２を、足の土踏まず（領域Ｄ）に対応する底面１ａの内側の領域のうち、足の舟状骨１１近傍に対応する領域に設けることによって、支持部２により舟状骨１１が低下しないように支持することができるので、足の内側の縦アーチの低下を容易に抑制することができる。これにより、足の内側の縦アーチの低下に起因して偏平足になるのを容易に抑制することができる。
【００３３】
また、第１実施形態では、足の踵１２に対応する底面１ａの内側の領域に、底面１ａから突出するように支持部３を形成するとともに、足の踵１２に対応する底面１ａの外側の領域に、支持部３と連続しないように支持部４を形成することによって、底面１ａの踵１２に対応する領域に荷重が加わった際に、互いに連続しないように形成された内側の支持部３および外側の支持部４を支点として底面１ａの踵１２に対応する領域を下に凸のアーチ状に撓ませることができる。このため、底面１ａの支持部３および４が接地する際に、踵１２の脂肪層がその下に凸のアーチ状に沿って変形しやすくなる。この場合、靴を履いて歩行したとしても、素足の状態で踵１２が接地した場合と実質的に同様に踵１２の脂肪層を変形させることができるので、素足で歩行した場合に足裏が受ける刺激と実質的に同様の刺激を足裏に生じさせることができる。これにより、足の機能や筋力の低下を抑制することができる。また、踵１２の脂肪層が変形しやすくなるので、歩行中に踵１２が圧迫されるのを抑制することができる。これにより、歩行が不安定になるのを抑制することができる。また、互いに連続しないように形成された内側の支持部３および外側の支持部４によって踵１２が挟まれるように保持されるので、足が内側に傾く回内足になるのを抑制することができる。これにより、内側の縦アーチの低下をより抑制することができるので、偏平足になるのをより抑制することができる。また、足が外側に傾く回外足になるのも抑制することができる。
【００３４】
また、第１実施形態では、支持部３および４の突出長さを、底面１ａの後部１ｂから前部１ｃに向かって徐々に大きくすることによって、底面１ａの支持部３および４が接地した際に、荷重が踵１２全体に加わるとともに、つま先が上方に向くように底面１ａが傾斜するので、足関節の背屈位が保持しやすくなる。これにより、下腿三頭筋（ふくらはぎ）を伸ばすことができるので、ふくらはぎの拘縮（短縮）を抑制することができる。
【００３５】
また、第１実施形態では、足の前足部の横アーチを構成する第１中足骨骨頭１３ａ近傍と第５中足骨骨頭１３ｅ近傍との間に対応する底面１ａの領域に、底面１ａから突出するように支持部５を形成することによって、支持部５により前足部の横アーチの低下を抑制することができるので、開帳足になるのを抑制することができ、外反母趾になるのを予防できる。
【００３６】
また、第１実施形態では、支持部２の中心部近傍の底面１ａからの突出長さを、支持部２の外縁部近傍の底面１ａからの突出長さよりも大きくなるように設定することによって、支持部２の中心部近傍から外縁部近傍に向かって支持部２の接地面が傾斜した形状になるので、底面１ａの内側の支持部２が歩行面に接地する際に、底面１ａの外側が接地する方向により傾きやすくなる。これにより、より容易に、外側に体重移動を行うことができるので、あおり歩行をより促進することができる。
【００３７】
また、第１実施形態では、支持部５の中心部近傍の底面１ａからの突出長さを、支持部５の外縁部近傍の底面１ａからの突出長さよりも大きくなるように設定することによって、支持部５の外縁部近傍が接地した後に、スムーズに支持部５の中心部近傍を接地させることができる。これにより、容易に、外側から内側に体重移動を行うことができる。
【００３８】
また、第１実施形態では、支持部２〜５を、それぞれ、複数の突起部２ａ、２ｂ、３ａ〜３ｈ、４ａ〜４ｈ、５ａおよび５ｂによって構成することによって、支持部２〜５がそれぞれ分割されるので、底面１ａを撓みやすくすることができる。これにより、容易に、足の動きに対応して底面１ａを変形させることができる。
【００３９】
また、第１実施形態では、支持部２〜５をそれぞれ構成する複数の突起部２ａ、２ｂ、３ａ〜３ｈ、４ａ〜４ｈ、５ａおよび５ｂの平面形状を、正六角形にすることによって、各々の支持部２〜５の突起部２ａ、２ｂ、３ａ〜３ｈ、４ａ〜４ｈ、５ａおよび５ｂ間の間隔を容易に実質的に均一にすることができるので、各々の支持部２〜５に加わる荷重を容易に実質的に均一に分散することができる。
【００４０】
図５は、第１実施形態の変形例による靴の靴底と足の骨との位置関係を示した靴底の底面図および足の側面図である。図５を参照して、この第１実施形態の変形例では、底面１ａに、支持部２〜５に加えて、さらにラバー（ゴム）からなる支持部６および７が一体的に形成されている。なお、支持部６および７は、それぞれ、本発明の「第５突起部」および「第６突起部」の一例である。
【００４１】
具体的には、支持部６は、足の第５中足骨粗面１４近傍に対応する底面１ａの外側の領域に配置されている。すなわち、支持部６は、支持部２から歩行方向と直交する方向（Ｙ方向）に所定の間隔を隔てて配置されている。また、支持部６は、約２ｍｍ〜約４ｍｍの底面１ａからの突出長さを有するとともに、正六角形の平面形状を有する。また、支持部７は、足の第５中足骨１５の中央部近傍に対応する底面１ａの外側の領域に配置されている。すなわち、支持部７は、支持部２からＹ方向に所定の間隔を隔てて配置されている。また、支持部７は、約２ｍｍ〜約４ｍｍの底面１ａからの突出長さを有するとともに、正六角形の平面形状を有する。
【００４２】
この第１実施形態の変形例では、上記のように、足の第５中足骨粗面１４近傍に対応する底面１ａの外側の領域に、底面１ａから突出するようにラバー（ゴム）からなる支持部６を形成することによって、支持部６により第５中足骨粗面１４が低下しないように支持することができるので、支持部２が歩行面に接地した後に体重が外側に移動する際に、底面１ａが外側に傾きすぎるのを抑制することができる。また、支持部６を、支持部２から歩行方向と直交する方向（Ｙ方向）に所定の間隔を隔てて配置することによって、支持部２と支持部６との間に突起部が形成されていないので、整地されていない凹凸の路面を歩行した場合に、路面の凸状部が支持部２と支持部６との間に位置したとしても、支持部６により第５中足骨粗面１４が低下しないように支持することができる。
【００４３】
また、第１実施形態の変形例では、足の第５中足骨１５の中央部近傍に対応する底面１ａの外側の領域に、底面１ａから突出するようにラバー（ゴム）からなる支持部７を形成することによって、支持部７により第５中足骨１５の中央部が低下しないように支持することができるので、体重がつま先に移動する際に、底面１ａが外側に傾きすぎるのを抑制することができる。また、支持部７を、支持部２から歩行方向と直交する方向（Ｙ方向）に所定の間隔を隔てて配置することによって、支持部２と支持部７との間に突起部が形成されていないので、整地されていない凹凸の路面を歩行した場合に、路面の凸状部が支持部２と支持部７との間に位置したとしても、支持部７により第５中足骨１５の中央部が低下しないように支持することができる。
【００４４】
（第２実施形態）
図６および図７は、本発明の第２実施形態による靴の靴底を示した側面図および底面図である。図６および図７を参照して、この第２実施形態では、上記第１実施形態と異なり、底面の各領域に形成された支持部が、それぞれ、１つの突起部によって構成されている場合について説明する。なお、図６および図７には、左足用の靴の靴底を図示している。すなわち、図７の上側が靴底の内側であり、下側が靴底の外側である。
【００４５】
この第２実施形態による靴１１０の靴底２１は、図６および図７に示すように、ラバー（ゴム）からなる底面２１ａを有するとともに、足の舟状骨近傍に対応する底面２１ａの内側の領域に、ラバー（ゴム）からなる支持部２２が一体的に形成されている。この支持部２２は、足の内側の縦アーチ（土踏まず）に対応する領域Ｄ内に配置されている。また、支持部２２の歩行方向と直交する方向（Ｙ方向）の幅Ｗ３は、足の幅Ｗ１の２／３以下である。なお、支持部２２は、本発明の「第１突起部」の一例である。また、支持部２２の中心部近傍の底面２１ａからの突出長さは、約８ｍｍ〜約１５ｍｍであり、支持部２２の外縁部近傍の底面２１ａからの突出長さは、約３ｍｍ〜約４ｍｍである。すなわち、支持部２２の中心部近傍の底面２１ａからの突出長さは、支持部２２の外縁部近傍の底面２１ａからの突出長さよりも大きくなるように設定されている。また、支持部２２は、丸みを帯びた角部を有する直角三角形の平面形状を有する。
【００４６】
また、第２実施形態では、足の踵近傍に対応する底面２１ａの内側の領域に、ラバー（ゴム）からなる支持部２３が一体的に形成されている。なお、支持部２３は、本発明の「第２突起部」の一例である。この支持部２３は、歩行方向（Ｘ方向）に沿って延びるように形成されているとともに、支持部２３の底面２１ａからの突出長さは、底面２１ａの後部２１ｂから前部２１ｃに向かって徐々に大きくなるように設定されている。なお、支持部２３の後部２１ｂ側の端部２３ａの底面２１ａからの突出長さは、約２ｍｍ〜約３ｍｍであり、支持部２３の前部２１ｃ側の端部２３ｂの底面１ａからの突出長さは、約１０ｍｍ以下である。また、支持部２３は、外側に向かって凸のアーチ形状の短辺を有する長方形の平面形状を有する。また、足の踵近傍に対応する底面２１ａの外側の領域には、内側の支持部２３と連続しないように、ラバー（ゴム）からなる支持部２４が一体的に形成されている。なお、支持部２４は、本発明の「第３突起部」の一例である。この支持部２４は、歩行方向（Ｘ方向）に沿って延びるように形成されているとともに、支持部２４の底面２１ａからの突出長さは、底面２１ａの後部２１ｂから前部２１ｃに向かって徐々に大きくなるように設定されている。なお、支持部２４の後部２１ｂ側の端部２４ａおよび前部２１ｃ側の端部２４ｂは、それぞれ、上記した内側の支持部２３の端部２３ａおよび２３ｂと同様の底面２１ａからの突出長さを有する。また、支持部２４は、上記した内側の支持部２３と同様の平面形状を有する。
【００４７】
また、第２実施形態では、足の前足部の横アーチを構成する第１中足骨骨頭近傍と第５中足骨骨頭近傍との間に対応する底面２１ａの領域に、ラバー（ゴム）からなる支持部２５が一体的に形成されている。なお、支持部２５は、本発明の「第４突起部」の一例である。また、支持部２５の中心部近傍の底面２１ａからの突出長さは、約３ｍｍ〜約５ｍｍであり、支持部２５の外縁部近傍の底面２１ａからの突出長さは、約２ｍｍ〜約３ｍｍである。すなわち、支持部２５の中心部近傍の底面２１ａからの突出長さは、支持部２５の外縁部近傍の底面２１ａからの突出長さよりも大きくなるように設定されている。また、支持部２５は、外側に向かって凸のアーチ形状の２辺を有する二等辺三角形の平面形状を有する。
【００４８】
第２実施形態では、上記のように、足の土踏まず（領域Ｄ）に対応する底面２１ａの内側の領域に、底面２１ａから突出するように支持部２２を形成することによって、上記第１実施形態と同様、底面２１ａの内側の支持部２２が接地した際に、底面２１ａの外側が接地する方向に傾くので、容易に、体重を外側に移動させることができる。その結果、足を外側から内側へあおって歩くあおり歩行を促進することができる。また、足の土踏まず（領域Ｄ）に対応する底面２１ａの内側の領域に、底面２１ａから突出するように支持部２２を形成することによって、上記第１実施形態と同様、支持部２２により足の内側の縦アーチを構成する骨の一部を支持することができるので、足の内側の縦アーチの低下を抑制することができる。これにより、足の内側の縦アーチの低下に起因して偏平足になるのを抑制することができる。
【００４９】
また、第２実施形態では、足の踵に対応する底面２１ａの内側の領域に、底面２１ａから突出するように支持部２３を形成するとともに、足の踵に対応する底面２１ａの外側の領域に、支持部２３と連続しないように支持部２４を形成することによって、上記第１実施形態と同様、底面２１ａの踵に対応する領域に荷重が加わった際に、互いに連続しないように形成された内側の支持部２３および外側の支持部２４を支点として底面２１ａの踵に対応する領域を下に凸のアーチ状に撓ませることができる。このため、底面２１ａの支持部２３および２４が接地する際に、踵の脂肪層がその下に凸のアーチ状に沿って変形しやすくなる。この場合、靴を履いて歩行したとしても、素足の状態で踵が接地した場合と実質的に同様に踵の脂肪層を変形させることができるので、素足で歩行した場合に足裏が受ける刺激と実質的に同様の刺激を足裏に生じさせることができる。これにより、足の機能や筋力の低下を抑制することができる。また、踵の脂肪層が変形しやすくなるので、歩行中に踵が圧迫されるのを抑制することができる。これにより、歩行が不安定になるのを抑制することができる。また、互いに連続しないように形成された内側の支持部２３および外側の支持部２４によって踵が挟まれるように保持されるので、足が内側に傾く回内足になるのを抑制することができる。これにより、内側の縦アーチの低下をより抑制することができるので、偏平足になるのをより抑制することができる。また、足が外側に傾く回外足になるのも抑制することができる。
【００５０】
また、第２実施形態では、足の前足部の横アーチを構成する第１中足骨骨頭近傍と第５中足骨骨頭近傍との間に対応する底面２１ａの領域に、底面２１ａから突出するように支持部２５を形成することによって、支持部２５により前足部の横アーチの低下を抑制することができるので、開帳足（外反母趾）になるのを抑制することができる。
【００５１】
なお、第２実施形態では、複数の突起部の集合体からなる支持部を底面に形成した第１実施形態と異なり、支持部２２〜２５が、それぞれ、１つの突起部によって構成されているので、第１実施形態に比べて、底面２１ａが撓みにくくなる。
【００５２】
なお、第２実施形態のその他の効果は、上記第１実施形態と同様である。
【００５３】
図８は、第２実施形態の変形例による靴の靴底を示した底面図である。図８を参照して、この第２実施形態の変形例では、底面２１ａに、支持部２２〜２５に加えて、さらにラバー（ゴム）からなる支持部２６および２７が一体的に形成されている。なお、支持部２６および２７は、それぞれ、本発明の「第５突起部」および「第６突起部」の一例である。
【００５４】
具体的には、支持部２６は、足の第５中足骨粗面近傍に対応する底面２１ａの外側の領域に配置されている。すなわち、支持部２６は、支持部２２から歩行方向と直交する方向（Ｙ方向）に所定の間隔を隔てて配置されている。また、支持部２６は、約２ｍｍ〜約４ｍｍの底面２１ａからの突出長さを有するとともに、正六角形の平面形状を有する。また、支持部２７は、足の第５中足骨の中央部近傍に対応する底面２１ａの外側の領域に配置されている。すなわち、支持部２７は、支持部２２からＹ方向に所定の間隔を隔てて配置されている。また、支持部２７は、約２ｍｍ〜約４ｍｍの底面２１ａからの突出長さを有するとともに、正六角形の平面形状を有する。
【００５５】
この第２実施形態の変形例では、上記のように、足の第５中足骨粗面近傍に対応する底面２１ａの外側の領域に、底面２１ａから突出するように支持部２６を形成することによって、上記第１実施形態の変形例と同様、支持部２６により第５中足骨粗面が低下しないように支持することができるので、支持部２２が接地した後に体重が外側に移動する際に、底面２１ａが外側に傾きすぎるのを抑制することができる。また、支持部２６を、支持部２２から歩行方向と直交する方向（Ｙ方向）に所定の間隔を隔てて配置することによって、上記第１実施形態の変形例と同様、支持部２２と支持部２６との間に突起部が形成されていないので、整地されていない凹凸の路面を歩行した場合に、路面の凸状部が支持部２２と支持部２６との間に位置したとしても、支持部２６により第５中足骨粗面が低下しないように支持することができる。
【００５６】
また、第２実施形態の変形例では、足の第５中足骨の中央部近傍に対応する底面２１ａの外側の領域に、底面２１ａから突出するように支持部２７を形成することによって、上記第１実施形態の変形例と同様、支持部２７により第５中足骨の中央部が低下しないように支持することができるので、体重がつま先に移動する際に、底面２１ａが外側に傾きすぎるのを抑制することができる。また、支持部２７を、支持部２２から歩行方向と直交する方向（Ｙ方向）に所定の間隔を隔てて配置することによって、上記第１実施形態の変形例と同様、支持部２２と支持部２７との間に突起部が形成されていないので、整地されていない凹凸の路面を歩行した場合に、路面の凸状部が支持部２２と支持部２７との間に位置したとしても、支持部２７により第５中足骨の中央部が低下しないように支持することができる。
【００５７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５８】
たとえば、上記第１および第２実施形態では、ラバー（ゴム）からなる靴底の底面に、ラバー（ゴム）からなる支持部（突起部）を一体的に形成するようにしたが、本発明はこれに限らず、ラバー（ゴム）やＥＶＡ（エチレンビニルアセテイト）などからなる靴底の底面に、ラバー（ゴム）やＥＶＡなどからなる突起部を後付けしてもよい。また、ＥＶＡなどからなる中敷（ミッドソール）に突起部を一体的に形成するとともに、その中敷の突起部に対応する領域に穴部を有するラバー（ゴム）を貼り付けることによって、ラバーからなる底面の穴部からＥＶＡなどからなる中敷の突起部を突出させてもよい。
【００５９】
また、上記第１および第２実施形態では、正六角形や三角形などの平面形状を有する支持部（突起部）を用いたが、本発明はこれに限らず、正六角形や三角形以外の平面形状を有する突起部を用いてもよい。たとえば、円形や正方形などの平面形状を有する突起部を用いてもよい。また、突起部を複数の突起部の集合体により形成する場合に、同じ平面形状で異なる大きさの複数の突起部を組み合わせて用いてもよいし、異なる平面形状の複数の突起部を組み合わせて用いてもよい。また、図９および図１０に示すように、靴底３１の底面３１ａの所定領域に設けられた突起部３２ａおよび３２ｂの歩行面側の表面に、それぞれ、所定の深さを有する凹部３２ｃおよび３２ｄを形成してもよい。このような凹部３２ｃおよび３２ｄが形成された突起部３２ａおよび３２ｂを用いれば、突起部３２ａおよび３２ｂが弾性変形しやすくなるので、突起部３２ａおよび３２ｂが接地した際の衝撃を緩和することができる。
【００６０】
また、上記第１および第２実施形態では、足の踵近傍に対応する底面の内側および外側の領域に、それぞれ、互いに同じ平面形状を有する支持部（突起部）を形成したが、本発明はこれに限らず、内側の突起部の歩行方向（Ｘ方向）の長さおよび歩行方向と直交する方向（Ｙ方向）の長さのいずれか一方を、外側の突起部の対応する長さよりも大きくなるように設定してもよい。たとえば、図１１に示すように、第１実施形態の構成において、内側の８つの突起部３ａ〜３ｈとＹ方向に隣接するように、さらに８つの突起部４３ａ〜４３ｈを形成することにより、内側の突起部のＹ方向の長さを外側の突起部のＹ方向の長さよりも大きくしてもよい。また、図１２に示すように、外側の突起部４ｂ〜４ｇの数（６つ）を、内側の突起部３ａ〜３ｈの数（８つ）よりも少なくすることにより、内側の突起部のＸ方向の長さを外側の突起部のＸ方向の長さよりも大きくしてもよい。このように構成すれば、底面１ａの踵に対応する領域が接地した際に、底面１ａの外側が接地する方向に傾きやすくなるので、体重が外側に移動しやすくなる。これにより、あおり歩行をより促進することができるとともに、回内足になるのを抑制することができる。なお、図１１に示したように、内側の８つの突起部３ａ〜３ｈとＹ方向に隣接するように、さらに８つの突起部４３ａ〜４３ｈを形成する場合には、突起部４３ａ〜４３ｈの突出長さを突起部３ａ〜３ｈの突出長さよりも小さくするのが好ましい。このように構成すれば、底面１ａの踵に対応する領域に荷重が加わった際に、底面１ａの踵に対応する領域が撓みにくくなるのを抑制することができる。
【００６１】
また、図１３に示すように、外側の８つの突起部４ａ〜４ｈとＹ方向に隣接するように、さらに８つの突起部５３ａ〜５３ｈを形成することにより、外側の突起部のＹ方向の長さを内側の突起部のＹ方向の長さよりも大きくしてもよい。また、図１４に示すように、内側の突起部３ｂ〜３ｇの数（６つ）を、外側の突起部４ａ〜４ｈの数（８つ）よりも少なくすることにより、外側の突起部のＸ方向の長さを内側の突起部のＸ方向の長さよりも大きくしてもよい。このように構成すれば、底面１ａの踵に対応する領域が接地した際に、底面１ａの内側が接地する方向に傾きやすくなるので、体重が外側に移動しやすくなる。これにより、回外足になるのを抑制することができる。
【００６２】
また、上記第１および第２実施形態では、靴の靴底に本発明を適用する例を説明したが、本発明はこれに限らず、靴以外の履物の靴底にも適用可能である。たとえば、図１５に示すように、第１実施形態の靴底１をサンダル２００に用いた場合にも、足のアーチの低下を抑制し、かつ、あおり歩行を促進することができる。
【図面の簡単な説明】
【００６３】
【図１】本発明の第１実施形態による靴の靴底と足の骨との位置関係を示した側面図である。
【図２】図１に示した第１実施形態による靴底の底面図である。
【図３】図２の１００−１００線に沿った断面図である。
【図４】足の構造を示した上面図である。
【図５】第１実施形態の変形例による靴の靴底と足の骨との位置関係を示した靴底の底面図および足の側面図である。
【図６】本発明の第２実施形態による靴の靴底を示した側面図である。
【図７】本発明の第２実施形態による靴の靴底を示した底面図である。
【図８】第２実施形態の変形例による靴の靴底を示した底面図である。
【図９】第１実施形態の変形例による靴の靴底の突起部を示した底面図である。
【図１０】図９の２００−２００線に沿った断面図である。
【図１１】第１実施形態の変形例による靴の靴底を示した底面図である。
【図１２】第１実施形態の変形例による靴の靴底を示した底面図である。
【図１３】第１実施形態の変形例による靴の靴底を示した底面図である。
【図１４】第１実施形態の変形例による靴の靴底を示した底面図である。
【図１５】本発明の第１実施形態の靴底をサンダルに適用した場合の側面図である。
【図１６】従来の足のアーチ構造を説明するための側面図である。
【図１７】従来の足の運動を説明するための斜視図である。
【図１８】従来の足の基本肢位、背屈および底屈運動を説明するための側面図である。
【図１９】従来の足の回外および内回運動を説明するための斜視図である。
【図２０】従来の足の内転および外転運動を説明するための斜視図である。
【図２１】従来の足の内がえしおよび外がえし運動を説明するための斜視図である。
【図２２】従来の足のアーチが低下した状態を示した側面図である。
【符号の説明】
【００６４】
１、２１  靴底
１ａ、２１ａ、３１ａ  底面
２、２２  支持部（第１突起部）
２ａ、２ｂ、３ａ、３ｂ、３ｃ、３ｄ、３ｅ、３ｆ、３ｇ、３ｈ、４ａ、４ｂ、４ｃ、４ｄ、４ｅ、４ｆ、４ｇ、４ｈ、５ａ、５ｂ、３２ａ、３２ｂ、４３ａ、４３ｂ、４３ｃ、４３ｄ、４３ｅ、４３ｆ、４３ｇ、４３ｈ、５２ａ、５２ｂ、５３ａ、５３ｂ、５３ｃ、５３ｄ、５３ｅ、５３ｆ、５３ｇ、５３ｈ  突起部
３、２３  支持部（第２突起部）
４、２４  支持部（第３突起部）
５、２５  支持部（第４突起部）
６、２６  支持部（第５突起部）
７、２７  支持部（第６突起部）
１１  舟状骨
１２  踵
１３ａ  第１中足骨骨頭
１３ｅ  第５中足骨骨頭
３２ｃ、３２ｄ  凹部
１００、１１０  靴
２００  サンダル
【図１】
2005323643.tif 000003
【図２】
2005323643.tif 000004
【図３】
2005323643.tif 000005
【図４】
2005323643.tif 000006
【図５】
2005323643.tif 000007
【図６】
2005323643.tif 000008
【図７】
2005323643.tif 000009
【図８】
2005323643.tif 000010
【図９】
2005323643.tif 000011
【図１０】
2005323643.tif 000012
【図１１】
2005323643.tif 000013
【図１２】
2005323643.tif 000014
【図１３】
2005323643.tif 000015
【図１４】
2005323643.tif 000016
【図１５】
2005323643.tif 000017
【図１６】
2005323643.tif 000018
【図１７】
2005323643.tif 000019
【図１８】
2005323643.tif 000020
【図１９】
2005323643.tif 000021
【図２０】
2005323643.tif 000022
【図２１】
2005323643.tif 000023
【図２２】
2005323643.tif 000024